(57)【特許請求の範囲】
【請求項１】
所定距離隔てて略平行に配置された一対の主母線の間に配置され、
前記主母線の長手方向と略平行に、１つの遮断器とそれを挟んで直列に配置された２つの断路器とにより構成された遮断ユニットを直列に接続して構成された複数のダイヤメータと、
隣接する他の遮断ユニットの断路器間を接続する接続用母線と、
ガス絶縁開閉器の端部に位置する断路器と補助母線を接続する接続用母線とから構成され、
前記接続用母線と分岐母線との接続部は前記３つの遮断ユニットの間に２つ形成され、第１の接続部からは前記分岐母線が前記主母線側に導出され、第２の接続部からは前記遮断ユニットを跨いで、前記導出方向とは反対方向に、前記主母線側に導出しており、
前記接続用母線の軸よりも前記遮断器の密閉容器の軸が下方に位置し、前記接続用母線と略同一軸上に前記断路器を配置し、前記遮断器の密閉容器と断路器の密閉容器を接続して、前記第２の接続部の下方に少なくとも１つの作業スペースとなる空間を形成し、
前記作業スペースは、隣接する遮断器の密閉容器の軸方向の長さ以上の長さを有することを特徴とするガス絶縁開閉装置。
【請求項２】
前記複数のダイヤメータの接続用母線の端部は補助母線により前記主母線に接続されていることを特徴とする請求項１に記載のガス絶縁開閉装置。
【請求項３】
前記作業スペースに隣接する２つの遮断器を前記作業スペース内で搬出可能に配置されていることを特徴とする請求項１記載のガス絶縁開閉装置。
【発明の詳細な説明】
【技術分野】
【０００１】
本発明は一対の主母線の間に３台の遮断器を直列に接続して構成した複数のダイヤメータを備えたガス絶縁開閉装置に係り、特に、１・１／２遮断器方式のガス絶縁開閉装置に関する。
【背景技術】
【０００２】
一般にガス絶縁開閉装置は、ＳＦ６ガス等の絶縁性ガスを充填して接地した密閉容器内に高電圧充電部を絶縁配置して構成した遮断器、断路器、母線などから成り、安全で、信頼性が高く、また据付面積を大幅に縮小することができることから近年様々な場所に設置されている。ところで、重要系統では１・１／２遮断器方式のガス絶縁開閉装置が使用されており、その単線結線図を図７に示している。
【０００３】
一対の主母線１、２間に、両側にそれぞれ断路器を接続した３台の遮断器ＣＢ１、ＣＢ２、ＣＢ３を接続し、また図示を省略しているが変流器や接地開閉器等が接続される。断路器ＤＳ１２と断路器ＤＳ２１間に分岐母線５ａを接続し、また断路器ＤＳ２２と断路器ＤＳ３１間に分岐母線６ａを接続し、分岐母線５ａ、６ａの端部をケーブルヘッドやブッシングによって絶縁導出して一つのダイヤメータＡを構成している。ここでは、主母線１、２間には他のダイヤメータＢも構成され、ダイヤメータＡでは、分岐母線５ａが主母線１側に、また分岐母線６ａが主母線２側に導出している。これに対して、このダイヤメータＢでは、分岐母線５ｂが主母線２側に、また分岐母線６ｂが主母線１側に導出して負荷の均衡を図っている。
【０００４】
この単線結線図に基づく従来のガス絶縁開閉装置は、図８に示すように単線結線図に対応するように主母線１、２を所定距離隔ててほぼ平行に配置し、この主母線１、２間を橋絡する方向にそれぞれ両側に断路器を有する３台の遮断器を配置する。そして、各遮断器の両側に接続した断路器間に分岐母線５ａ、５ｂおよび分岐母線６ａ、６ｂを接続していた。ダイヤメータＡでは分岐母線５ａおよび分岐母線６ａをそれぞれ相反する方向に導出しているが、ダイヤメータＢでは分岐母線５ｂおよび分岐母線６ｂを交差する方向に導出している（例えば、特許文献１を参照）。
【０００５】
また、特許文献１では一方のダイヤメータでは分岐母線の方向に導出し、他のダイヤメータでは分岐母線を交差する方向に導出する例も示している。
【０００６】
【特許文献１】特開平１１−３５５９２３号公報の図１２
【発明の開示】
【発明が解決しようとする課題】
【０００７】
しかしながら、上述した従来のガス絶縁開閉装置においては、分岐母線５ｂおよび分岐母線６ｂを交差する方向に導出するダイヤメータＢを有する場合、一対の主母線１、２間を橋絡する方向に３台の遮断器ＣＢ１〜ＣＢ３を配置していたため、主母線１、２間を橋絡する方向に大きな設置面積を必要とする。しかも、ダイヤメータＡ、Ｂ間に分岐母線５ｂが配置されるために主母線１、２の軸方向にも大きな設置面積を必要としていた。また各遮断器ＣＢ１〜ＣＢ３の事故発生時における解体や点検作業についての配慮が払われておらず、これを実現しようとして作業スペースを確保するとさらに大きな設置面積を持つガス絶縁開閉装置となってしまう。従って、解体修理すべき遮断器は、主母線を解体した上で、上方に吊り上げて搬送しければならないという、作業上大きな問題が懸念される。
【０００８】
本発明の目的は、遮断器の事故発生時における解体点検作業を行うスペースを確保すると共に、設置面積の縮小化を可能にしたガス絶縁開閉装置を提供することにある。
【課題を解決するための手段】
【０００９】
本発明は、一対の主母線の長手方向と略平行に、直列に接続された３つの遮断器により構成された遮断ユニットを直列に接続して構成された複数のダイヤメータと、隣接する他の遮断ユニットの断路器間を接続する接続用母線と、ガス絶縁開閉器の端部に位置する断路器と補助母線を接続する接続用母線とから構成され、前記接続用母線と分岐母線との接続部は前記３つの遮断ユニットの間に形成され、第１の接続部からは前記分岐母線が前記主母線側に導出され、第２の接続部からは前記遮断ユニットを跨いで、前記導出方向とは反対方向に、前記主母線側に導出し、前記接続母線の軸よりも前記遮断器の密閉容器の軸が下方に位置し、前記接続用母線と略同一軸上に前記断路器を配置し、前記遮断器の密閉容器と断路器の密閉容器を接続して、前記第２の接続部の下方に少なくとも１つの作業スペースとなる空間を形成したガス絶縁開閉装置を提供するものである。なお、前記作業スペースは、隣接する遮断器の密閉容器の軸方向の長さ以上の長さを有することが好ましい。
【発明の効果】
【００１０】
本発明によれば、遮断器の事故発生時における解体点検作業を行うスペースを確保すると共に、設置面積の縮小化を可能にしたガス絶縁開閉装置を提供することができる。
【発明を実施するための最良の形態】
【００１１】
本発明によるガス絶縁開閉装置の一般的構成を、参照番号を用いて説明する。即ち、本発明の実施形態によるガス絶縁開閉装置は、所定距離隔てて略平行に配置された一対の主母線（１，２）間に配置され、前記主母線の長手方向と略平行に、１つの遮断器（３〜５）とそれを挟んで直列に配置された２つの断路器（６〜１１）とにより構成された遮断ユニットを直列に接続して構成された複数のダイヤメータ（Ａ，Ｂ）と、隣接する他の遮断ユニットの断路器間を接続する接続用母線（２８）と、ガス絶縁開閉器の端部に位置する断路器（６、１１）と補助母線（１２）を接続する接続用母線（３０、３１）とから構成される。
【００１２】
前記接続用母線（２８，３０）と分岐母線（１４〜１７）との接続部は前記３つの遮断ユニットの間に２つ形成され、第１の接続部からは前記分岐母線が前記主母線側に導出され、第２の接続部からは前記遮断ユニットを跨いで、前記導出方向とは反対方向に、前記主母線側に導出している。前記接続母線（２８，３０）の軸よりも前記遮断器の密閉容器の軸が下方に位置し、前記接続用母線と略同一軸上に前記断路器を配置する。前記遮断器の密閉容器と断路器の密閉容器を接続して、前記第２の接続部の下方に少なくとも１つの作業スペース（Ｓ１）となる空間を形成する。前記作業スペース（Ｓ１）は、隣接する遮断器の密閉容器の軸方向の長さ以上の長さを有するものが好ましい。なお、遮断器４，５間に形成されるスペース（Ｓ２）はその長さがＳ１よりも小さいが、作業用スペースとなりうる。
【００１３】
更に、前記複数のダイヤメータの接続用母線の端部は補助母線により前記主母線に接続されているガス絶縁開閉装置を提供するものであり、前記作業スペース（Ｓ１）に隣接する２つの遮断器は前記作業スペース内で搬出可能に配置されている。
【００１４】
本発明によるガス絶縁開閉装置においては、主母線及び接続用母線よりも低い位置に遮断器を配置し、遮断器の密閉容器の両端に接続される断路器を接続用母線、主母線と略同じ高さに配置する。これによって、分岐母線と接続用母線との第２の接続部の分岐母線は、第１の接続部における分岐母線とは反対方向に、他のダイヤメータの接続用母線と交差するように、導出して主母線と接続される。そしてその分岐母線及び接続用母線の下方に、作業用スペースを形成するので、十分な大きさのスペースＳ１（遮断器の密閉容器の長さ以上の大きさ）が形成できる。したがって、遮断ユニットの３つの遮断器のうちの２つの遮断器の解体作業及び搬出作業を、主母線を解体し、あるいは上方に吊り上げたりなどをしないで、上記作業スペースを共用して容易に行うことができる。なお、上記作業スペースに隣接しない遮断器は、そのまま外部に引き出し搬送することができる。
【００１５】
しかも、この解体点検作業用スペースの上方部を分岐母線配置のために利用しているので、主母線の軸方向に縮小したガス絶縁開閉装置とすることができる。
【００１６】
また、解体点検作業用スペースの上方部に配置した両分岐母線を、一方の主母線側に配置したダイヤメータでは他方の主母線側に、他方の主母線側に配置したダイヤメータでは一方の主母線側にそれぞれ導出する。そのため、各分岐母線の負荷の均衡を図るように異なる方向に導出しても、主母線の軸方向に設置面積を縮小することができる。
【００１７】
一対の主母線間に、直列接続した３台の遮断器を有する複数のダイヤメータを接続し、各ダイヤメータの各遮断器間にそれぞれ分岐母線を接続したガス絶縁開閉装置において、上記主母線は所定距離隔ててほぼ平行に配置する。上記主母線間に位置すると共に上記主母線の軸方向に上記ダイヤメータを構成する上記３台の遮断器を配置し、また上記ダイヤメータの上記３台の遮断器に並置した３台の遮断器を有する他のダイヤメータを構成する。上記両ダイヤメータは、上記３台の遮断器のうちの隣り合う２台の遮断器間にそれぞれ共通の解体点検作業用スペース（Ｓ１）を形成する。この解体点検作業用スペースの上方部の上記主母線の軸方向にずれた位置に上記両ダイヤメータの上記分岐母線をそれぞれ設ける。
【００１８】
上記のように、主母線で区画された長方形（正方形を含まない）の中に必要な機器を配置することになるので、ガス絶縁開閉装置の設置場所の確保が正方形の設置場所に比べて、容易となる。
【００１９】
本発明のガス絶縁開閉装置の上記両ダイヤメータは、上記解体点検作業用スペースを形成した上記３台の遮断器のうちの隣り合う２台の遮断器間（Ｓ１）を、その他の隣り合う２台の遮断器間（Ｓ２）よりも上記主母線の軸方向に大きくしたものである。
【００２０】
また、上記解体点検作業用スペース（Ｓ１）の上方部に配置した上記両分岐母線は、電圧の均衡を図るために一方の上記主母線側に配置した上記ダイヤメータは他方の上記主母線側に、また他方の上記主母線側に配置した上記ダイヤメータは一方の上記主母線側にそれぞれ導出する。
【００２１】
さらに、上記解体点検作業用スペースを形成した上記２台の遮断器は、それぞれその遮断器用密閉容器の対向側を上方へ分岐し、これら分岐した部分間を上記解体点検作業用スペースの上方部に位置する接続用母線で接続することができる。
【００２２】
さらに、上記解体点検作業用スペースを形成した上記２台の遮断器は、それぞれその遮断器用密閉容器の対向側を上方へ分岐し、これら分岐した部分間を上記解体点検作業用スペースの上方部に位置する接続用母線で接続し、この接続用母線の上方部に上記分岐母線を配置することができる。
【００２３】
本発明の実施形態によるガス絶縁開閉装置は、主母線の軸方向に３台の遮断器を配置してそれぞれのダイヤメータを構成しているため、両主母線間を従来よりも近接して配置することができ、設置面積を縮小することができる。また３台の遮断器のうちの隣り合う２台の遮断器間にそれぞれ共通の解体点検作業用スペースを形成する。この解体点検作業用スペースの上方部主母線の軸方向にずれた位置に両ダイヤメータの分岐母線をそれぞれ設けたため、２台の遮断器間に形成した解体点検作業用スペースを２台の遮断器で兼用して使用することができる。しかも、この解体点検作業用スペースの上方部を分岐母線配置のために利用しているので、主母線の軸方向に縮小したガス絶縁開閉装置とすることができる。
【００２４】
また、上記実施形態において、解体点検作業用スペースを形成した３台の遮断器３，４、５のうちの隣り合う２台の遮断器３，４間を、その他の隣り合う２台の遮断器４，５間よりも主母線の軸方向に大きくする。その結果、２台の遮断器３，４の解体点検作業のために解体点検作業用スペースＳ１を兼用することができ、結局、３台の遮断器の配置方向に縮小することができる。
【００２５】
また、解体点検作業用スペースの上方部に配置した両分岐母線を、一方の主母線側に配置したダイヤメータでは他方の主母線側に、また他方の主母線側に配置したダイヤメータでは一方の主母線側にそれぞれ導出した。そのため、各分岐母線を負荷の均衡を図るよう異なる方向に導出しても、主母線の軸方向に設置面積を縮小することができる。
【００２６】
さらに上記実施形態において、解体点検作業用スペースを形成した２台の遮断器を、それぞれその遮断器用密閉容器の対向側で上方へ分岐し、これら分岐した部分間を解体点検作業用スペースの上方部に位置する接続用母線で接続した。そのため、遮断器用密閉容器の軸方向端部を解体点検作業用として利用することができ、しかも接続用母線の下部に十分の解体点検作業用スペースＳ１を形成することができる。
【００２７】
さらに上記実施形態において、解体点検作業用スペースを形成した２台の遮断器を、それぞれその遮断器用密閉容器の対向側で上方へ分岐し、これら分岐した部分間を解体点検作業用スペースの上方部に位置する接続用母線で接続した。そのため、遮断器用密閉容器の軸方向端部を解体点検作業用として利用することができ、しかも接続用母線の下部に十分の解体点検作業用スペースを形成することができる。また接続用母線の上方部に分岐母線を配置したため、接続用母線の下方部に十分な解体点検作業用スペースを形成することができ、解体点検作業用スペースを分岐母線配置のために兼用することによって、主母線の軸方向に縮小したガス絶縁開閉装置とすることができる。
【００２８】
以下、本発明の実施の形態を図面に基づいて更に詳細に説明する。図２は、本発明の一実施の形態によるガス絶縁開閉装置の平面図に対応するように示した単線結線図である。
【００２９】
主母線１、２は所定距離を隔ててほぼ平行に配置されており、これら主母線１、２間に形成した空間に二つのダイヤメータＡ、Ｂを構成する。主母線１に近い方のダイヤメータＡは、主母線１とほぼ平行な中心線を通る仮想垂直平面上に３台の遮断器３、４、５を所定距離隔てながら配置して構成している。遮断器３の片側に接続した接地開閉器付き断路器６は主母線１、２とほぼ直交するように配置して主母線１に接続した補助母線１２に接続し、遮断器３の他側に接続した接地開閉器付き断路器７は、遮断器４の片側に接続した接地開閉器付き断路器８に接続している。遮断器４の他側に接続した接地開閉器付き断路器９は遮断器５の片側に接続した接地開閉器付き断路器１０に接続し、遮断器５の他側に接続した接地開閉器付き断路器１１は、主母線１、２とほぼ直交するように配置して主母線２に接続した補助母線１３に接続している。ダイヤメータＢも同一構成であり、上述した補助母線１２と補助母線１３間に電気的に接続されると共に、主母線１、２とほぼ平行な中心線を通る仮想垂直平面上に３台の遮断器３、４、５を同様に所定距離隔てながら配置する。
【００３０】
ダイヤメータＡを構成する遮断器３の接地開閉器付き断路器７と遮断器４の接地開閉器付き断路器８間には分岐母線１４が接続されて主母線２側に導出される。そして、遮断器４の接地開閉器付き断路器９と遮断器５の接地開閉器付き断路器１０間には分岐母線１５が接続されて主母線１側に導出されている。またダイヤメータＢを構成する遮断器３の接地開閉器付き断路器７と遮断器４の接地開閉器付き断路器８間には分岐母線１６が接続されて主母線１側に導出され、遮断器４の接地開閉器付き断路器９と遮断器５の接地開閉器付き断路器１０間には分岐母線１６が接続されて主母線２側に導出されている。ダイヤメータＡの分岐母線１４と分岐母線１５の導出方向は逆方向であり、またダイヤメータＢの分岐母線１６と分岐母線１７の導出方向は逆方向である。さらにダイヤメータＡの分岐母線１４および分岐母線１５と、ダイヤメータＢの分岐母線１６および分岐母線１７の導出方向はそれぞれ逆方向とすることによって負荷の均衡を図ることができる。
【００３１】
図３は、ダイヤメータＡにおける一相分のみを示すガス絶縁開閉装置の正面図である。
【００３２】
３台の遮断器３〜５は、それぞれ円筒状の遮断器用密閉容器１８〜２０内に構成される。そして、主母線１とほぼ平行な同一軸線上に各遮断器用密閉容器１８〜２０の中心軸線を合わせて配置し、それぞれ架台２１上に支持している。各遮断器３〜５の遮断器用密閉容器１８〜２０は、その両端部で上方部に分岐した一つの分岐部を有し、この分岐部に接地開閉器付き断路器６〜１１をそれぞれ構成したほぼ水平な断路器用密閉容器２２〜２７を接続する。遮断器３の遮断器用密閉容器１８と、これに隣接する遮断器４の遮断器用密閉容器１９との間には、それぞれの遮断器３、４を交互に解体点検するために使用するスペースを確保する。このスペースに対応する部分の断路器用密閉容器２３と断路器用密閉容器２４間は同一軸線上に配置した接続用母線２８によって接続している。
【００３３】
同様に、遮断器４の遮断器用密閉容器１９と、これに隣接する遮断器５の遮断器用密閉容器２０との間には、遮断器５の解体点検に利用することができる解体点検作業用スペースを確保する。この解体点検作業用スペースに対応する部分の断路器用密閉容器２５と断路器用密閉容器２６間は同一軸線上に配置した接続用母線２９によって接続している。
【００３４】
接地開閉器付き断路器６の断路器用密閉容器２２と補助母線１２間も接続用母線３０によって接続し、また接地開閉器付き断路器１１の断路器用密閉容器２７と補助母線１３間も接続用母線３１によって接続し、これら接続用母線３０、３１も先の接続用母線２８、２９とほぼ同一中心軸線上に配置している。後述する図１から分かるように遮断器３〜５を中心とする構成は、主母線１とほぼ平行な中心線を通る仮想垂直平面上に構成されていることになる。上述したように図面は一相分のみを示しているが、実際には三相分が並置されるため、各相は主母線１とほぼ平行な中心線を通る三つの仮想垂直平面上にそれぞれ構成されていることになる。ダイヤメータＢも図３に示したダイヤメータＡと同様に構成されて、その三相分が並置されている。
【００３５】
遮断器３の遮断器用密閉容器１８と、遮断器４の遮断器用密閉容器１９間には、遮断器３、４を交互に解体点検するために使用する解体点検作業用スペースＳ１が確保される。この解体点検作業用スペースに対応して設けた接続用母線２８は、遮断器３〜５の中心軸線よりも上方に位置する中心軸線上に配置している。従って、接続用母線２８によって妨げられることなく接続用母線２８の下部に解体点検作業用の空間部を形成することができる。また遮断器４の遮断器用密閉容器１９と、遮断器５の遮断器用密閉容器２０間にも、遮断器５を解体点検するために使用する解体点検作業用スペースが確保される。この解体点検作業用スペースに対応して設けた接続用母線２９は、遮断器３〜５の中心軸線よりも上方に位置する中心軸線に配置しているため、接続用母線２９によって妨げられることなく接続用母線２９の下部に解体点検作業用スペースを形成することができる。
【００３６】
遮断器５は、接続用母線２９の下部に形成した解体点検作業用スペースを使用して解体点検作業を行うが、遮断器５における接続用母線３１の下部を使用して新たな解体点検作業用スペースを形成するなら、遮断器４、５間をさらに近接して配置することもできる。
また遮断器４の遮断器用密閉容器１９と、遮断器５の遮断器用密閉容器２０間に遮断器４、５を交互に解体するために使用する解体点検作業用スペースを確保すると共に、遮断器３は接続用母線３０の下部を使用して専用の解体点検作業用のスペースを形成することもできる。従って、３台の遮断器３〜５を使用する１・１／２遮断器方式では、３台の遮断器３〜５のうち任意の隣接する２台間に共通の解体点検作業用スペースを確保するようにすればよい。
【００３７】
この遮断器３〜５の解体点検作業用に必要な解体点検作業用スペースをさらに活用して、同部分の上方部に分岐母線１４、１５を配置している。図示の場合、隣接する２台の遮断器３、４間に形成した共通の解体点検作業用スペースをさらに活用して同部分の上方部に分岐母線１４を配置し、遮断器５の解体点検作業用スペースをさらに活用して同部分の上方部に分岐母線１５を配置している。従って、主母線１、２の軸方向に３台の遮断器３〜５を配置しても、解体点検作業用スペースと分岐母線１４、１５の配置を兼用しているため、遮断器並置方向の設置面積を縮小することができる。
【００３８】
図１は、本発明の一実施の形態によるガス絶縁開閉装置を示す平面図である。図１は、図２の結線図に対応して二つのダイヤメータＡ、Ｂを有して構成した場合のガス絶縁開閉装置を示す。ここでダイヤメータＡとダイヤメータＢは、主母線１、２間を橋絡する方向を並置方向とすると共に、それぞれ三相分の３台の遮断器３〜５を主母線１、２の軸方向に沿って配置する。従って、ダイヤメータＡ、Ｂの遮断器３と遮断器４間には上述したように交互に遮断器３、４を解体点検するための解体点検作業用スペースが集中的に形成される。またダイヤメータＡ、Ｂの遮断器４と遮断器５間には上述したように遮断器５を解体点検するための解体点検作業用スペースＳ２が集中的に形成されている。遮断器３、４間を利用して集中的に形成した解体点検作業用スペースの上方部には主母線１、２とほぼ直交する方向に分岐母線１４、１６を配置する。また遮断器４、５間を利用して集中的に形成した解体点検作業用スペースの上方部には主母線１、２とほぼ直交する方向に分岐母線１５、１７をそれぞれ配置している。分岐母線１４は主母線２側へ、分岐母線１６は主母線１側へ、分岐母線１５は主母線１側へ、また分岐母線１７は主母線２側へとそれぞれ導出している。
【００３９】
図４は、図１のＸ−Ｘ線に沿った断面図であり、ダイヤメータＡ、Ｂのそれぞれ三相分の遮断器３が並置され、ダイヤメータＡの遮断器３の上部に接続した接地開閉器付き断路器７の密閉容器２３には各遮断器３の上部で主母線１、２を橋絡する方向に延びた分岐母線１４が接続されている。この分岐母線１４の途中には、図２の単線結線図に示しているように断路器３２を介して計器用変圧器（ＶＴ）３３等が接続されているが、回路構成によってこれらを省略することもある。
【００４０】
このようなガス絶縁開閉装置では、遮断器３〜５の解体点検用に形成したスペースをさらに活用して、同部分に分岐母線１４〜１７を配置している。図示の場合、隣接する２台の遮断器３、４間に形成した共通の解体点検作業用スペースをさらに活用して同部分に三相分の分岐母線１４、１６を配置する。遮断器５の解体点検作業用スペースをさらに活用して同部分に三相分の分岐母線１５、１７を配置しているため、主母線１、２の軸方向に３台の遮断器３〜５を配置しても、解体点検作業用スペースと分岐母線１４〜１７の配置を兼用することができる。その結果、遮断器並置方向の設置面積を縮小することができる。
【００４１】
特に、各遮断器３〜５間には、それらの解体点検のために解体点検作業用スペースを形成しているが、これは必須のスペースであり、しかもこの解体点検作業用スペースをさらに活用して、解体点検作業に支障のない同部分の上方部に分岐母線１４、１６を配置している。つまり、隣接する２台の遮断器３、４間に形成した共通の解体点検作業用スペースをさらに活用して同部分の上方部に、電圧の均衡を図って絶縁導出方向を交差すると共に、主母線１、２の軸方向にずれた位置で接続導体又は接続用母線２８に接続した分岐母線１４、１６を配置している。従って、主母線１、２の軸方向に３台の遮断器３〜５を配置しても、解体点検作業用スペースと分岐母線１４、１６の配置を兼用しているため、単に解体点検作業用としてのスペースを確保した場合に比べて遮断器並置方向の設置面積を縮小することができる。
【００４２】
また、１・１／２遮断器方式では、３台の遮断器３〜５をほぼ同じ中心軸線上に配置するため、この軸方向にある程度設置面積を確保しなければならない。従来の場合、図８に示したように主母線１、２間を橋絡する中心軸線上に３台の遮断器３〜５を配置する。主母線１、２の中心軸線方向に三相分または複数のダイヤメータＡ、Ｂを配置するため、主母線１、２の橋絡方向にも軸方向にも大きな設置面積を必要とする。しかし、上述した本実施の形態によるガス絶縁開閉装置では、主母線１、２の軸方向に３台の遮断器３〜５を配置する。そして、主母線１、２間を橋絡する方向に三相分または複数のダイヤメータＡ、Ｂを配置するため、特に、主母線１、２の対向方向を縮小することができ、設置面積が小さいガス絶縁開閉装置とすることができる。
【００４３】
上述したガス絶縁開閉装置で、図１に示した分岐母線１４、１７は各ケーブルヘッドを介してそれぞれ絶縁導出され、その後、各ケーブルに接続され、一方、分岐母線１５、１６は各ブッシングを介して絶縁導出され、その後、例えば各送電線に接続される。ケーブル側はその被覆によって絶縁が保持されているのに対して各ブッシング側は比較的大きな気中絶縁距離を確保する必要がある。このため、接続用母線２８、２９と分岐母線１４〜１７との接続位置は、各ブッシング間の気中絶縁距離を考慮しながら接続用母線２８、２９の軸方向の様々な位置で行うことができる。例えば、分岐母線１４と分岐母線１６を主母線１、２の軸方向位置を入れ替えるなら、分岐母線１６に接続する三相分のブッシングと、分岐母線１５に接続する三相分のブッシングとの間に十分の絶縁距離を容易に確保することができる。
【００４４】
また、図１に示したガス絶縁開閉装置では、接地開閉器付き断路器７と接地開閉器付き断路器８間を接続する接続用母線２８の軸長は、分岐母線１４と分岐母線１６との配置によってほぼ決定される。従って、遮断器３と遮断器４間に形成した解体点検作業用スペースが少し大きくなる。しかし、分岐母線１４、１６のいずれか一方を接続用母線２８の上方に、また、いずれか他方を接続用母線２８の下方に配置し、分岐母線１６の三相分は上述したようにブッシング間の気中絶縁距離を考慮して予め図示のものよりも大きな相間間隔を確保する。これにより、分岐母線１４、１６を主母線１、２の軸方向でずらすことができる。更に、遮断器３と遮断器４間に必要な解体点検作業用スペースに合わせて接続用母線２８の軸長を短縮しながら有効に活用することもできる。
【００４５】
しかし、この場合、接続用母線２８の下方に配置した分岐母線１４または分岐母線１６は、遮断器３と遮断器４の解体点検作業に支障のない高さに保持する必要がある。さらに、こうした考え方から分岐母線１４、１６の両方を遮断器３と遮断器４の解体点検作業に支障のない高さで接続用母線２８の下方に配置することができる。また、三相間を多少広げた分岐母線１６の各相間に分岐母線１４の各相が入り組むようにして分岐母線１４、１６を主母線１、２の軸方向でずらすこともできる。
【００４６】
さらに、分岐母線１５、１７を同様の条件で接続用母線２９の上下に分散配置したり、その下方に配置したりすることも可能である。特に、遮断器５の解体点検作業は補助母線１３側から行うようにすることもできるので、遮断器４、５間に必ずしも解体点検作業用スペースを確保する必要はないので、接続用母線２９の下部の空間を分岐母線１５、１７の配置のために使用しても良い。
【００４７】
図５は、本発明の他の実施の形態によるガス絶縁開閉装置の平面図に対応するように示した単線結線図である。
【００４８】
この実施の形態では、図１の単線結線図に対してさらにダイヤメータＣ、Ｄを追加したもので、図１に示したものとの同等物には同一符号を付けている。主母線１、２は所定の対向距離を隔ててほぼ平行に配置し、これら主母線１、２の軸方向に一部を図示したダイヤメータＡの３台の遮断器３〜５を配置し、３台の遮断器３〜５の一端側は補助母線１２によって主母線１に接続し、これと並置してダイヤメータＢの３台の遮断器３〜５も同様に配置している。先の場合と同様にダイヤメータＡの遮断器３と遮断器４間に接続した分岐母線１４は主母線１側に導出され、ダイヤメータＢの遮断器３と遮断器４間に接続した分岐母線１６は主母線１側に導出している。
【００４９】
新たに追加したダイヤメータＣは、ダイヤメータＡの遮断器３に隣接するように同方向に並んで３台の遮断器３〜５を配置し、それらの一端を補助母線３４により主母線１に接続し、それらの他端を補助母線３５により主母線２に接続している。また新たに追加したダイヤメータＣは、ダイヤメータＣと並置して３台の遮断器３〜５を同様に配置し、それらの一端を補助母線３４により主母線１に接続し、それらの他端を補助母線３５により主母線２に接続している。ダイヤメータＣの遮断器３と遮断器４間に接続した分岐母線３６は主母線１側に導出し、また遮断器４と遮断器５間に接続した分岐母線３７は主母線１側に導出している。ダイヤメータＤの遮断器３と遮断器４間に接続した分岐母線３８は主母線１側に導出され、また遮断器４と遮断器５間に接続した分岐母線３９は主母線２側に導出している。
【００５０】
図６は、図５に示した単線結線図に基づいて構成したガス絶縁開閉装置の平面図である。
【００５１】
主母線１、２は所定の対向距離を隔ててほぼ平行に配置し、主母線１、２間に図１に示したダイヤメータＡとダイヤメータＢを構成し、その端部を補助母線１２によって主母線１に接続している。上述したように遮断器３と遮断器４間には、それぞれのための解体点検作業用スペースを形成する。また、補助母線１２の下部は遮断器３のための解体点検作業用スペースとしては使用していないので、同部に新たに追加したダイヤメータＣとダイヤメータＤの一端を主母線２に接続する補助母線３５を配置している。補助母線１２および補助母線３５を上下に配置することによって、主母線１、２の軸方向に縮小化している。遮断器３と遮断器４間に形成した解体点検作業用スペースを利用して、この解体点検作業に支障のない高さ位置に分岐母線１４、１６を設けているため、先の実施の形態の場合と同様に空間を有効に活用して主母線１、２の軸方向に一層小型にしたガス絶縁開閉装置としている。
【００５２】
新たに追加したダイヤメータＣは、ダイヤメータＡの各遮断器３〜５とほぼ同一軸線上に三相分の３台の遮断器３〜５を配置し、それらの一端を補助母線３５により主母線２に接続し、それらの他端を補助母線３４により主母線１に接続している。また新たに追加したダイヤメータＤは、ダイヤメータＣと並置して三相分の３台の遮断器３〜５を同様に配置し、それらの一端を補助母線３５により主母線２に接続し、それらの他端を補助母線３４により主母線１に接続している。ダイヤメータＣおよびダイヤメータＤは、遮断器４と遮断器５間に遮断器５のための解体点検作業用スペースを確保し、この解体点検作業用スペースの上方部で遮断器５の解体点検作業に支障のない高さ位置に分岐母線３７と分岐母線３９を設け、それぞれ異なる方向に導出している。これは先の実施の形態におけるダイヤメータＡ、Ｂの遮断器４と遮断器５間の構成と同様である。
【００５３】
またダイヤメータＣ、Ｄにおける遮断器３と遮断器４間には、遮断器３、４のための集中的な解体点検作業用スペースを形成し、この解体点検作業用スペースの上方部で遮断器３、４の解体点検作業に支障のない高さ位置に分岐母線３６と分岐母線３８を設けている。これは、先の実施の形態におけるダイヤメータＡ、Ｂの遮断器３、４の構成とほぼ同様であり、導出方向を除けば分岐母線１４、１６の構成もほぼ同様である。ここでも、遮断器３と遮断器４間に形成した解体点検作業用スペースを利用して分岐母線３６および分岐母線３８を設けているため、主母線１、２の軸方向に縮小したガス絶縁開閉装置とすることができる。
【００５４】
この実施の形態でも、主母線１、２を所定の間隔を隔ててほぼ平行に配置し、主母線１、２の軸方向に３台の遮断器３〜５を配置する。複数のダイヤメータを有する場合、少なくとも一つを主母線１、２間を橋絡する方向に並置するため、主母線１、２間の幅方向に小さな設置面積のガス絶縁開閉装置とすることができる。また遮断器３、４間に両者の共通の解体点検作業用スペース（Ｓ１）を確保し、この解体点検作業用スペースの上方部の解体点検作業に支障のない位置に電圧の均等を図るため、相反する方向とはならない分岐母線１４、１６または分岐母線３６、３８を配置する。そのため、解体点検作業用スペースを活用しながら分岐母線を配置することができるので、主母線１、２の軸方向にも縮小したガス絶縁開閉装置とすることができる。
【００５５】
しかも、この実施の形態では主母線１、２間を橋絡する方向に二つのダイヤメータＡ、Ｂを並置し、それ以上のダイヤメータＣ、Ｄが設けられる場合は、主母線１、２の軸方向にずれた位置に配置するようにしている。そのため、主母線１、２の軸方向における遮断器３と遮断器４間に形成した解体点検作業用スペースと分岐母線１４、１６、または遮断器３と遮断器４間に形成した解体点検作業用スペースと分岐母線３６、３８のバランスがとれる。そのため、両者を効果的に同部に構成することができ、主母線１、２の軸方向に縮小化したガス絶縁開閉装置とすることができる。
【００５６】
つまり、主母線１、２間を橋絡する方向に三つ以上のダイヤメータを並置することも考えられるが、この場合にはそれぞれ三つの分岐母線を遮断器３と遮断器４間に配置することになる。そのため、同部における解体点検作業用スペースと分岐母線３６、３８のバランスが崩れ、三つの分岐母線の導出のために遮断器３と遮断器４間を必要以上に大きくしなければならない。結局、主母線１、２の軸方向に少し大きなガス絶縁開閉装置となってしまう。
【００５７】
また上述した各実施の形態では、遮断器４と遮断器５間から導出する分岐母線１５、１７または分岐母線３７、３９はそれぞれ相反する方向に導出しているため、遮断器４と遮断器５間のスペースは小さくなっている。分岐母線１５、１７または分岐母線３７、３９が電圧の均等を図るために、例えば交差するように導出する場合、この部分の遮断器４と遮断器５間を、遮断器４、５のための共通の解体点検作業用スペースにすることもできる。
【００５８】
さらに上述した各実施の形態では、３台の遮断器３〜５を等間隔ではなく、遮断器４と遮断器５間よりも遮断器３と遮断器４間を大きくしているが、この大きくした部分に両者兼用の解体点検作業用スペースを形成することができる。この解体点検作業用スペースを利用して主母線１、２の軸方向にずれた位置に分岐母線１４、１６または分岐母線３６、３８を設けることができるようになる。従って、３台の遮断器３〜５の配置方向、つまり主母線１、２の軸方向に縮小化したガス絶縁開閉装置とすることができる。
【００５９】
上述の本発明の実施の形態では、各遮断器３〜５の両側に接地開閉器付き断路器６〜１１を使用した構成について説明したが、この接地開閉器付き断路器６〜１１を接地開閉器と断路器とで構成したものなど、その他の構成のガス絶縁開閉装置にも適用することができる。
【図面の簡単な説明】
【００６０】
【図１】本発明の一実施の形態によるガス絶縁開閉装置の平面図である。
【図２】図１に示したガス絶縁開閉装置に対応する単線結線図である。
【図３】図１に示したガス絶縁開閉装置の概略を示す正面図である。
【図４】図１に示したガス絶縁開閉装置のＸ−Ｘ線に沿った側面図である。
【図５】本発明の他の実施の形態によるガス絶縁開閉装置の平面図である。
【図６】図５に示したガス絶縁開閉装置の単相結線図である。
【図７】従来のガス絶縁開閉装置の平面図である。
【図８】図７に示したガス絶縁開閉装置に対応する単線結線図である。
【符号の説明】
【００６１】
１、２…主母線、３〜５…遮断器、６〜１１…接地開閉器付き断路器、１２、１３…補助母線、１４〜１７、３６〜３９…分岐母線、Ａ、Ｂ、Ｃ、Ｄ…ダイヤメータ、１８〜２０…遮断器用密閉容器、２１…架台、２２〜２７…断路器用密閉容器、２８，３０，３１…接続用母線、１２、１３、３４、３５…補助母線。
【図１】
0004836770.tif 000002
【図２】
0004836770.tif 000003
【図３】
0004836770.tif 000004
【図４】
0004836770.tif 000005
【図５】
0004836770.tif 000006
【図６】
0004836770.tif 000007
【図７】
0004836770.tif 000008
【図８】
0004836770.tif 000009